(57)【要約】【課題】  使用済みマスタの取り出しを禁止可能な印刷装置の提供する。【解決手段】  印刷装置本体１００に備えられ、機密保持モード時に製版手段３で製版されて印刷ドラム７に巻着されたマスタ３４Ｂを貯容する第１のマスタ貯容手段２１２と、非機密保持モード時に製版されて印刷ドラムに巻着されたマスタ３４Ａを貯留する第２のマスタ貯留手段２１１と、印刷ドラムに巻着されたマスタを第１のマスタ貯容手段側２１２あるいは第２のマスタ貯容手段２１１側に選択的に搬送するマスタ回収手段２１０と、第１のマスタ貯留手段内のマスタの取り出しを禁止可能とするマスタ保護手段２４とを有する。【選択図】図１
2005342896.tif 000002
【特許請求の範囲】
【請求項１】
印刷装置本体に備えられ、機密保持モード時に製版手段で製版されて印刷ドラムに巻着されたマスタを貯容する第１のマスタ貯容手段と、
非機密保持モード時に製版されて前記印刷ドラムに巻着されたマスタを貯留する第２のマスタ貯留手段と、
前記印刷ドラムに巻着されたマスタを第１のマスタ貯容手段側あるいは第２のマスタ貯容手段側に選択的に搬送するマスタ回収手段と、
前記第１のマスタ貯留手段内のマスタの取り出しを禁止可能とするマスタ保護手段とを有することを特徴とする印刷装置。
【請求項２】
請求項１記載の印刷装置において、
前記マスタ保護手段が、第１のマスタ貯容手段を印刷装置本体外に取り出すことを禁止するためのロック手段と、このロック手段に対し、第１のマスタ貯容手段を印刷装置本体外に取り出すことを禁止する禁止状態と、第１のマスタ貯容手段を印刷装置本体外に取り出すことを許容する解除状態との何れかを与えるロック設定手段とを有することを特徴とする印刷装置。
【請求項３】
請求項２記載の印刷装置において、
前記ロック設定手段が、前記ロック手段を制御し前記禁止状態と前記解除状態との何れかを与える制御手段であることを特徴とする印刷装置。
【請求項４】
請求項３記載の印刷装置において、
前記制御手段は、機密保持モードであると判断した際に前記ロック手段を前記禁止状態とすることを特徴とする印刷装置。
【請求項５】
請求項４記載の印刷装置において、
前記機密保持モードを設定するモード入力手段を有し、
前記制御手段は、前記モード入力手段からの入力情報に基づき、前記機密保持モードの有無を判断することを特徴とする印刷装置。
【請求項６】
請求項４記載の印刷装置において、
前記印刷ドラムを印刷装置本体において所定の状態でロックするドラムロック手段と、前記印刷ドラムのロック状態を検知するドラムロック検知手段とを有し、
前記制御手段は、前記ドラムロック検知手段からの情報に基づき、前記機密保持モードの有無を判断することを特徴とする印刷装置。
【請求項７】
請求項１ないし６の何れかに記載の印刷装置において、
第１のマスタ貯容手段が複数設けられていることを特徴とする印刷装置。
【請求項８】
請求項７記載の印刷装置において、
前記マスタ回収手段は、第１のマスタ貯容手段側において、各マスタ貯容手段に対して選択的に移動可能に設けられていることを特徴とする印刷装置。
【発明の詳細な説明】
【技術分野】
【０００１】
本発明は、使用済みマスタの取り出しを禁止可能とした印刷装置に関する。
【背景技術】
【０００２】
従来から多数枚の印刷等を目的として印刷装置が用いられている。印刷装置として、例えば特許文献１に記載されているように、印刷ドラムとしての版胴に、製版されたマスタを巻装して印刷を行うタイプの印刷装置が知られている。この種の印刷装置においては、マスタに記録された（製版された）情報が漏洩するという問題がある。  
すなわち、一般にマスタを用いた印刷装置においては、印刷はマスタが版胴に巻装したままの状態で終了されることから、版胴を放置しておくと、他者がこのマスタを持ち出す場合や、そのマスタを用いて印刷されてしまうため、マスタに記録された情報が漏洩する可能性がある。したがって、特に、官公庁、各種学校、企業など、かかる印刷装置が多数の者に使用されている環境下においては、機密保持の点で問題がある。そこで、特許文献１では、機密保持モードで印刷された場合には、印刷終了後において、版胴の位置をロック手段でロックして印刷できないようにしている。
【０００３】
【特許文献１】特開平８−１８３２３８号公報
【発明の開示】
【発明が解決しようとする課題】
【０００４】
特許文献１の構成では、確かに印刷終了後のマスタを利用して他者が印刷を行うことを禁止しているので、印刷によって、マスタに記録された情報が漏洩することが防止されるものの、印刷終了後のマスタは、印刷装置内に設けられたマスタ貯容部となる排版ボックスに貯容されるため、この使用済みのマスタが印刷装置から自由に取り出されるとすれば、やはり機密保持の点で問題がある。  
本発明は、使用済みマスタの取り出しを禁止可能な印刷装置の提供を目的とする。
【課題を解決するための手段】
【０００５】
上記目的を達成するため、本発明の特徴とするところは、請求項１に記載するように、印刷装置本体に備えられ、機密保持モード時に製版手段で製版されて印刷ドラムに巻着されたマスタを貯容する第１のマスタ貯容手段と、非機密保持モード時に製版されて印刷ドラムに巻着されたマスタを貯留する第２のマスタ貯留手段と、印刷ドラムに巻着されたマスタを第１のマスタ貯容手段側あるいは第２のマスタ貯容手段側に選択的に搬送するマスタ回収手段と、第１のマスタ貯留手段内のマスタの取り出しを禁止可能とするマスタ保護手段とを有する点にある。
【０００６】
請求項２記載の発明は、請求項１記載の印刷装置において、マスタ保護手段が、第１のマスタ貯容手段を印刷装置本体外に取り出すことを禁止するためのロック手段と、このロック手段に対し、第１のマスタ貯容手段を印刷装置本体外に取り出すことを禁止する禁止状態と、第１のマスタ貯容手段を印刷装置本体外に取り出すことを許容する解除状態との何れかを与えるロック設定手段とを有することを特徴としている。  
請求項３記載の発明は、請求項２記載の印刷装置において、ロック設定手段が、ロック手段を制御して禁止状態と解除状態との何れかを与える制御手段であることを特徴としている。  
請求項４記載の発明は、請求項３記載の印刷装置において、制御手段は、機密保持モードであると判断した際にロック手段を禁止状態とすることを特徴としている。
【０００７】
請求項５記載の発明は、請求項４記載の印刷装置において、機密保持モードを設定するモード入力手段を有し、制御手段は、モード入力手段からの入力情報に基づき、機密保持モードの有無を判断することを特徴としている。  
請求項６記載の発明は、請求項４記載の印刷装置において、印刷ドラムを印刷装置本体において所定の状態でロックするドラムロック手段と、印刷ドラムのロック状態を検知するドラムロック検知手段とを有し、制御手段は、ドラムロック検知手段からの情報に基づき、機密保持モードの有無を判断することを特徴としている。  
請求項７記載の発明は、請求項１ないし６の何れかに記載の印刷装置において、第１のマスタ貯容手段が複数設けられていることを特徴としている。  
請求項８記載の発明は、請求項７記載の印刷装置において、マスタ回収手段が、第１のマスタ貯容手段側において各マスタ貯容手段に対して選択的に移動可能に設けられていることを特徴としている。
【発明の効果】
【０００８】
本発明によれば、機密保持モード時に製版手段で製版されて印刷ドラムに巻着されたマスタを貯容する第１のマスタ貯容手段と、非機密保持モード時に製版されて印刷ドラムに巻着されたマスタを貯留する第２のマスタ貯留手段と、印刷ドラムに巻着されたマスタを第１のマスタ貯容手段側あるいは第２のマスタ貯容手段側に選択的に搬送するマスタ回収手段と、第１のマスタ貯留手段内のマスタの取り出しを禁止可能とするマスタ保護手段とを備えているので、マスタ回収手段によって第１のマスタ貯容手段へ搬送された、機密保持モードで製版されたマスタの取り出しを禁止することができ、機密漏洩を防止することができる。
【０００９】
本発明によれば、使用済みマスタ保護手段が、第１のマスタ貯容手段を印刷装置本体外に取り出すことを禁止するためのロック手段と、このロック手段に対し、第１のマスタ貯容手段を、印刷装置本体外に取り出すことを禁止する禁止状態と、印刷装置本体外に取り出すことを許容する解除状態との何れかを与えるロック設定手段とを有するので、ロック設定手段でロック手段に対し禁止状態と解除状態とを選択的に与えることができ、機密保持モードで製版されたマスタの取り出しを禁止でき、機密漏洩を防止することができる。
【００１０】
本発明によれば、ロック設定手段が、ロック手段を制御し禁止状態と解除状態との何れかを与える制御手段である場合、制御手段でロック手段に対し禁止状態と解除状態とを選択的に与える制御を行うことで、機密保持モードで製版されたマスタの取り出しを比較的簡易に禁止でき、機密漏洩を防止することができる。
【００１１】
本発明によれば、制御手段でロック手段を禁止状態とするので、機密保持モードの際には、第１のマスタ貯容手段がロックされ、機密保持モードで製版されたマスタの取り出しを禁止でき、機密漏洩を防止することができる。
【００１２】
本発明によれば、機密保持モードを設定するモード入力手段を有し、制御手段が、モード入力手段からの入力情報に基づき、機密保持モードの有無を判断するので、ユーザーによる機密保持認知を向上させつつ、機密保持モードで製版されたマスタの取り出しを禁止でき、機密漏洩を防止することができる。
【００１３】
本発明によれば、印刷ドラムを印刷装置本体において所定の状態でロックするドラムロック手段と、印刷ドラムのロック状態を検知するドラムロック検知手段とを有し、制御手段が、ドラムロック検知手段からの情報に基づき、機密保持モードの有無を判断するので、印刷ドラムの状態から、その印刷ドラムに巻着されたマスタの機密性を推察でき、機密保持モードで製版されたマスタの取り出しを禁止でき、機密漏洩を防止することができる。
【００１４】
本発明によれば、機密保持モードで製版されたマスタを収納する第１のマスタ貯容手段が複数設けられているので、各マスタ貯容手段に対して機密保持モードで製版されたマスタを個別回収することができ、機密保持モードで製版されたマスタの取り出しを禁止して機密漏洩を防止しながら、機密のマスタを段階的に区分けして保持することができる。
【発明を実施するための最良の形態】
【００１５】
本発明を適用した印刷装置としての感熱デジタル製版一体型の孔版印刷装置の概略を図１に示す。孔版印刷装置は、印刷装置本体１００に、印刷部２と、製版部としての製版装置３と、原稿読取部としての原稿読取装置３２と、給紙部としての給紙装置４と、排版部としての排版装置５と、排紙部６と、図６に示す操作パネル６９と、図７に示す制御部としての制御手段２４とを備えている。
【００１６】
印刷部２は、印刷ドラムとしての版胴７と、インキ供給手段８と、印圧部材としてのプレスローラ９とを有している。版胴７は、薄板で円筒状に形成されていて、０．２５〜１．０ｍｍ程度の間隔で直径０．１５〜０．５ｍｍ程度の孔を、その外周面上に多数穿設されており、後述するメインモータ１２によって回転駆動される。メインモータ１２は、制御手段２４によって制御される、図７に示す印刷部駆動回路１０１によってその駆動が制御される。版胴７の外周面上には、図示しないはメッシュスクリーンが１〜３層程度巻装されている。版胴７の外周面上には、製版装置3で製版されるマスタ３４の先端を挟持するクランプ手段としてのクランパ１１がその母線方向に延設されている。
【００１７】
インキ供給手段８は、版胴内部に設けられたインキ供給パイプ１３、インキローラ１４、ドクターローラ１５から主に構成されている。版胴７の支持軸を兼ねたインキ供給パイプ１３は、その一端を孔版印刷装置の筐体側板に回転自在に支持されており、その表面には版胴７の内部にインキを供給するための無数の小さな孔が穿設されている。インキ供給パイプ１３の下方には、インキローラ１４がその外周面を版胴７の内周面と当接させて設けられている。ドクターローラ１５はインキローラ１４の近傍に回転自在に配設されていて、その外周面とインキローラ１４の外周面との間に僅かな間隙が生じるように配設されて、楔状のインキ溜まり１６を形成している。インキ供給パイプ１３よりインキ溜まり１６へと供給されたインキは、インキローラ１４とドクターローラ１５との間隙を通過することにより均一な層状とされ、インキローラ１４の外周面に供給される。
【００１８】
図２に版胴７の駆動機構を示す。版胴７の一方の側板７ａの外方には、インキ供給パイプ１３を中心としたギヤ１７が、側板７ａと僅かに隙間をもってインキ供給パイプ１３の図示しない段部に固着されている。インキ供給パイプ１３の図示しない先端部は、ギヤ１７を貫通して、孔版印刷装置の図示しない筐体側板に支持されている。側板７ａには、版胴７の外周縁寄りに配置され、軸方向に延出するドグ２５とが固着されている。また、一方の側板７ａと他方の７ｂの外方には、版胴７を持ち運ぶための略コ字状を呈した図示しない取手が、版胴７を軸方向に跨ぐようにインキ供給パイプ１３に取り付けられている。他方の側板７ｂ側の図示しない取手の側板には、インキ供給パイプ１３へ供給するインキを補充するための図示しないインキ供給装置が設けられている。
【００１９】
ギヤ１７は、ギヤ部１７ａとフランジ部１７ｂとを有しており、ギヤ部１７ａが側板７ａ側に位置するように配設され、フランジ部１７ｂの一部が切り欠かれている。ギヤ１７の近傍には、ギヤ部１７ａと噛合するギヤ部１８ａとフランジ部１８ｂとを有し、印刷装置本体１００に回転自在に支持された支軸１８ｃに固着されたギヤ１８が配設されている。ギヤ１８は、フランジ部１８ｂが側板７ａ側に位置するように配設され、フランジ部１８ｂの一部がフランジ部１７ｂと同様に切り欠かれている。ギヤ１７とギヤ１８とは、互いの切り欠き部が一致した状態においてのみ係脱自在となっており、他の状態では噛み合った各ギヤ部１７ａ，１８ａが各フランジ部１７ｂ，１８ｂに挟まれて、係合状態を解除できないように構成されている。
【００２０】
版胴７は、印刷装置本体１００に設けられた図示しないレール部材に、前述の図示しない取手を係合可能に構成されており、各フランジ部１７ｂ，１８ｂの切り欠き部が一致する図の状態において、図の白抜き矢印で示す方向に抜き出すことにより、孔版印刷本体１００からの取り外しが可能となっている。
【００２１】
版胴７の回転に伴って移動するドグ２５の円軌道上には、ホームポジションセンサ２６と機密保持モード位置センサ２７とが配設されている。各センサ２６，２７は、印刷装置本体１００に取り付けられており、ドグ２５がその検知部を通過する際に、図７に示す制御手段２４へ向けて信号を出力する。ホームポジションセンサ２６は、フランジ部１７ｂの切り欠き部とフランジ部１８ｂの切り欠き部とが一致する位置においてドグ２５を検知するように配設されている。
【００２２】
支軸１８ｃの、印刷装置本体１００に回転自在に支持された位置とギヤ１８を固着した位置との間の位置には歯付プーリー１９が固着されており、この歯付プーリー１９は、印刷装置本体１００に取り付けられたモーター１２の出力軸端に固着された歯付プーリー２０と、タイミングベルト２１によって連結されている。メインモータ１２の出力軸にはエンコーダー２２が設けられており、メインモータ１２は、印刷装置本体１００に取り付けられたパルス検出センサ２３によってその回転角度を検出され、検出された角度信号は、図示しないパルスカウンター及び比較器を通過した後、図７に示す制御手段２４に入力される。
【００２３】
上述の構成により、メインモータ１２の回転力が、その出力軸、歯付プーリー２０、タイミングベルト２１、歯付プーリー１９、支軸１８ｃ、ギヤ１８、ギヤ１７と伝達されて、版胴７がインキ供給パイプ１３を中心に回転駆動される。
【００２４】
図１において、プレスローラ９は、プレスローラ９と一体をなした図示しない軸によって回転自在に支持されて、版胴７の下方に配設されている。この軸は、印刷装置本体１００の側板に揺動可能に支持された図示しない揺動手段に備えられ、揺動手段本体側に固着されている。したがって、プレスローラ９は、揺動手段により揺動可能かつ回転自在に支持されている。プレスローラ９は、給紙装置４より給送される印刷用紙Ｐを版胴７に押圧し、印刷用紙Ｐに印刷画像を形成させる。印刷画像形成時において、プレスローラ９は、揺動手段によって揺動可能に支持されていることにより、その外周面が版胴７の外周面に対して接離されるとともに、揺動手段によって回転自在に支持されていることにより、版胴７に押圧され版胴７と一体で移動する印刷用紙Ｐに連れ回りするようになっている。
【００２５】
製版装置３は、印刷部２の右上方に配設されている。製版装置３は、未製版のマスタをロール状に巻成し、芯部３５ａに回転自在に支持されたマスタロール３５と、製版手段２９と、切断手段３０と、マスタ搬送手段３１Ａ、３１Ｂとを有している。製版手段２９は、プラテンローラ３６と、サーマルヘッド３７と、図示しないステッピングモータとを有していて、マスタロール３５の左方に配設されている。
【００２６】
プラテンローラ３６は、製版装置３の図示しない筐体の側板に回転自在に支持され、ステッピングモータによって回転駆動され、未製版のマスタをマスタロール３５から引き出しながらサーマルヘッド３７に押圧し、下流側へと搬送する。ステッピングモータは、制御手段２４によって制御される、図７に示す製版部駆動回路１０３によって駆動される。
【００２７】
サーマルヘッド３７は、多数の発熱素子を有している。サーマルヘッド３７は、印刷装置本体１００の図示しない側板に取り付けられており、図示しない付勢手段によって付勢され、プラテンローラ３６に圧接されている。サーマルヘッド３７は、その発熱により、プラテンローラ３６によってマスタロール３５から引き出されたマスタに対して溶融穿孔を行い、マスタを製版済みのものとする。サーマルヘッド３７の発熱は、制御手段２４によって制御される製版部駆動回路１０３によって駆動される。
【００２８】
切断手段３０は、製版手段２９よりもマスタ搬送方向下流側に配設されている。切断手段３０は、固定刃と、この固定刃に対して回転移動する可動刃とを有し、制御手段２４によって制御される、図７に示すカッタ駆動回路１０４によって駆動される。
【００２９】
マスタ搬送手段３１Ａ，３１Ｂは、切断手段３０よりもマスタ搬送方向下流側に配設されている。マスタ搬送手段３１Ａ、３１Ｂは、図示しない駆動手段としてのステッピングモータによってそれぞれ回転駆動される駆動ローラと、各駆動ローラにそれぞれ連れ回りする従動ローラとでそれぞれ構成されている。製版されたマスタ３４を版胴7に向かって搬送する各駆動ローラを駆動する図示しないステッピングモータは、制御手段２４によって制御される、図７に示すマスタ搬送部駆動回路１０５によって駆動される。
【００３０】
原稿読取装置３２は、印刷装置本体１００の上方に配設されていて、その上部に配設された原稿セット部に原稿をセットし、図示しない原稿搬送ローラで原稿を送り出し、イメージセンサで原稿画像を読み取る周知のものである。原稿搬送ローラの駆動及びイメージセンサによる原稿の読み取りは、制御手段２４によって制御される、図７に示す読取り部駆動回路１０６によって制御される。
【００３１】
給紙装置４は、製版装置３の下方に配設されている。給紙装置４は、給紙トレイ４６と、給紙ローラ４７と、分離手段としての分離ローラ４８と、レジストローラ対４９と、搬送路５０と、給紙トレイ４６と給紙ローラ４７と分離ローラ４８とレジストローラ対４９とのそれぞれを駆動する図示しない駆動手段とを有している。
【００３２】
給紙トレイ４６は、その上面に印刷用紙Ｐを積載されるものである。給紙トレイ４６は、積載された印刷用紙Ｐの増減と連動して図示しない駆動手段により上下動される。そのため給紙トレイ４６は、印刷装置本体１００に上下動自在に支持されている。
【００３３】
給紙ローラ４７と分離ローラ４８とは、給紙トレイ４６の上方に配設されている。給紙トレイ４６は、給紙ローラ４７と分離ローラ４８とが、給紙トレイ４６上の最上位の印刷用紙Ｐと当接するように上下動される。給紙ローラ４７は、給紙トレイ４６上の最上位の印刷用紙Ｐを送り出す。分離ローラ４８は、給紙ローラ４７によって複数枚の印刷用紙Ｐが給紙トレイ４６上から引き出され送り出された場合、その最上位の１枚のみを分離し、さらに搬送するように構成されている。
【００３４】
レジストローラ対４９は、印刷用紙Ｐの搬送方向における分離ローラ４８の下流側に配設されている。レジストローラ対４９は、分離ローラ４８によって給送された印刷用紙Ｐを咥え込み、版胴７の回転及びプレスローラ９の揺動動作と同期して、版胴７の外周面とプレスローラ９との間のニップ部Ｎに印刷用紙Ｐを給送する。
【００３５】
搬送路５０は、分離ローラ４８とニップ部Ｎの間に形成されていて、給紙トレイ４６から送り出された印刷用紙Ｐをレジストローラ対４９に向けて案内するとともに、レジストローラ対４９から送り出された印刷用紙Ｐをニップ部Ｎに向けて案内するものである。
【００３６】
給紙トレイ４６と給紙ローラ４７と分離ローラ４８とレジストローラ対４９とのそれぞれを駆動する駆動手段の駆動は、制御手段２４によって制御される、図７に示す給紙部駆動回路１０７によって制御される。
【００３７】
排紙部６は、版胴７の左下方に配設されている。排紙部６は、剥離爪６３と、用紙搬送装置２６と、排紙トレイ６８とを有している。剥離爪６３は、インキを転移された印刷用紙Ｐを版胴７の外周面から剥離するものである。用紙搬送装置２６は、従動ローラ６４と、駆動ローラ６５と、ゴムベルト６６と、ファンとしての吸引ファン６７と、図示しない駆動手段とを有している。従動ローラ６４と駆動ローラ６５とは、印刷装置本体１００の側板に回転自在に支持されている。ゴムベルト６６は、表面に複数の開孔を有しており、従動ローラ６４と駆動ローラ６５とに掛け渡されている。吸引ファン６７は、従動ローラ６４と駆動ローラ６５との間の、ゴムベルト６６の下方に配設されている。
【００３８】
駆動ローラ６５は駆動手段で回転駆動され、この回転力はゴムベルト６６を介して従動ローラ６４に伝達される。吸引ファン６７は、その回転により図１において下向きの空気流を発生させ、印刷画像を形成された印刷用紙Ｐをゴムベルト６６の表面に吸引させるものである。印刷画像を形成された印刷用紙Ｐは、吸引ファン６７の作用によりゴムベルト６６に吸着された状態で、駆動ローラ６５によって回転移動するゴムベルト６６により搬送される。
【００３９】
排紙トレイ６８は、印刷用紙Ｐの搬送方向における駆動ローラ６５の下流側に配設されている。排紙トレイ６８は、印刷装置本体１００に着脱自在に取り付けられている。排紙トレイ６８は、印刷画像を形成された印刷用紙Ｐを積載する。用紙搬送装置２６に備えられた駆動手段の駆動は、制御手段２４によって制御される、図７に示す排紙部駆動回路１１２によって制御される。
【００４０】
排版装置５は、印刷部２の左方に配設されている。排版装置５は、マスタ回収手段としてのマスタ剥がし機構２１０と、マスタ剥がし機構２１０によって版胴７から廃棄された各種マスタ３４を貯留する排版収納部２１１，２１２とを備えている。
【００４１】
排版収納部２１１は、非機密保持モードが設定されている際に製版装置３で製版されて版胴７に巻着されたマスタ３４Ａ（以下「非機密マスタ３４Ａ」と記す）を貯容する第２のマスタ貯容手段を構成し、排版収納部２１２は、機密保持モードの際に製版されて版胴７に巻着されたマスタ（以下「機密マスタ３４Ｂ」と記す）を貯留する第１のマスタ貯留手段を構成する。
【００４２】
マスタ剥がし機構２１０は、版胴７の外周面に巻き付けられている各種マスタ３４を剥がすための機構であり、上部排版部材５３と、下部排版部材５４と、上部排版部材５３と下部排版部材５４を移動させる図示しない移動手段と、上部排版部材５３と下部排版部材５４とを駆動する図示しない駆動手段とを有している。上部排版部材５３、下部排版部材５４、移動手段及び駆動手段は、ベースプレート２１３に設けられている。
【００４３】
図３に示すように、上部排版部材５３は、駆動ローラ５７と、従動ローラ５８と、駆動ローラ５７と従動ローラ５８との間に掛け渡された排版ベルトとしてのゴムベルト５９とを有している。下部排版部材５４は、駆動ローラ６０と、従動ローラ６１と、駆動ローラ６０と従動ローラ６１との間に掛け渡された排版ベルトとしてのゴムベルト６２とを有している。駆動ローラ５７は、駆動手段で回転駆動される。駆動ローラ６０は、図示しないギヤによって駆動ローラ５７と連結され、駆動手段によってギヤを介して回転駆動される。上部排版部材５３及び下部排版部材５４は、移動手段により、ベースプレート２１３上を版胴７に対して接離する方向に移動可能とされている。
【００４４】
製版装置５には、マスタ剥がし機構２１０を、排版収納部２１１あるいは排版収納部２１２側に選択的に移動させる揺動手段２２０を備えている。この揺動手段２２０は、軸２１４を中心に揺動自在に設けられたベースプレース２１３と、ベースプレートを揺動させる駆動源としての電磁ソレノイド２１７とから主に構成されている。
【００４５】
軸２１４は製版装置５あるいは印刷装置本体１００の側板に設けられていて、マスタ剥がし機構２１０が排版収納部２１１へマスタ３４Ｂを搬送可能とする図３に示す第１の位置と、マスタ剥がし機構２１が排版収納部２１２へマスタ３４Ａを搬送可能とする図４に示す第２の位置とへ移動可能にベースプレート２１３を揺動自在に支持している。
【００４６】
電磁ソレノイド２１７は、通電にプランジャー２１７Ａを本体内に吸引する方向と押し出す方向に移動させるタイプのものである。プランジャー２１７Ａの先端には、ベースプレート２１３の下部に接触するコロ２１８が回転自在に支持されている。マスタ剥がし機構２１０は、非機密保持モードの時は図３に示す第１の位置を、機密保持モードの時は図４に示す第２の位置を選択的に占めるように構成されている。すなわち、電磁ソレノイド２１７に対する通電方向が制御手段２４によって切り替えられ、プランジャー２１７Ａの移動方向が制御される。ベースプレート２１３の下部には、コロ２１８の移動範囲を規制するストッパー部材２１６が設けられている。すなわち、ペースプレート２１３に設けられたマスタ剥がし機構２１０の第１の位置と第２の位置はプランジャー２１７Ａのストローク量とストッパー２１６により移動範囲量によって調整されている。
【００４７】
版胴７上の各マスタ３４を剥がす場合には、この移動手段は、ゴムベルト５９，６２が版胴７に巻き付けられている各種マスタ３４に接触する位置まで上部排版部材５３及び下部排版部材５４を移動させ、その位置で、駆動手段が駆動ローラ５７，６０を回転させることにより、ゴムベルト５９，６２を回転駆動させる。これにより、版胴７の外周面に巻装されているマスタ３４（非機密マスタ３４Ａまたは機密マスタ３４Ｂ）が、上下において対をなしているゴムベルト５９，６２により挟持されて引っ張られる。この状態において版胴７が回転駆動されると、マスタ３４が版胴７の外周面から剥がされる。版胴７の外周面から剥がされた使用済みのマスタ３４は、ゴムベルト５９，６２の回転と電磁ソレノイド２１７の状態に応じて、排版収納部２１１または排版収納部２１２に送り込まれて回収される。
【００４８】
排版収納部２１１及び排版収納部２１２の上部には、各収納部に回収されて収納されている使用済みのマスタ３４（非機密マスタ３４Ａ及び機密マスタ３４Ｂ）を圧縮する圧縮板５６Ａ、５６Ｂが設けられている。この圧縮板５６Ａ、５６Ｂは、図示しない駆動手段によって移動される移動部材５６Ｃに装着されている。
【００４９】
圧縮板５６Ａ及び圧縮板５６Ｂは、この移動部材５６の移動により、排版収納部２１１及び排版収納部２１２内に進入する位置と待機位置とへ移動される用に構成されている。圧縮板５６Ａ、５６Ｂによる版の圧縮動作は、１回の排版動作毎に駆動手段を駆動して実施してもよいし、所定回数の排版動作毎に駆動手段を駆動して実施してもよい。
【００５０】
排版収納部２１１、２１２は、印刷装置本体１０に対して着脱自在とされている。排版収納部２１１、２１２には、その一部が露出した取っ手２１１Ａ、２１２Ａが設けられている。取っ手２１１Ａ、２１２Ａは、排版収納部２１１、２１２を印刷装置本体１に対して着脱するときに操作者が握る部分である。
【００５１】
マスタ剥がし機構２１０に備えられた移動手段の駆動と、マスタ剥がし機構２１０に備えられた駆動手段の駆動と、圧縮板５６Ａ、５６Ｂの駆動手段の駆動と電磁ソレノイド２１７の駆動は、制御手段２４によって制御される、図７に示す排版駆動回路１１４によって制御される。
【００５２】
図５に示すように、孔版印刷装置の内部には、機密マスタ３４Ｂを回収して収納する排版収納部２１２内のマスタの取り出しを禁止可能とするマスタ保護手段の一部を構成するロック手段としてのロック機構９０が設けられている。ロック機構９０は、排版収納部２１２から突設されたロックピン９１と、排版装置５の図示しない筐体の側板に揺動自在に支持されているロック板９２と、ロック板９２の揺動中心をなす、排版装置５の図示しない筐体の側板に突設された軸９３と、ロック板９２の一端に形成されたガイド孔９２ａに摺動自在に係合しロック板９２の揺動範囲を一定範囲内に保つ、排版装置５の図示しない筐体の側板に突設されたガイドピン９４とを有している。
【００５３】
ロック機構９０は、排版装置５の図示しない筐体の側板に揺動自在に固定され、ロック板９２の他端と一体化されロック板９２を揺動させる駆動源としての電磁ソレノイド９５と、ロック板９２の、電磁ソレノイド９５と一体化された側の端部にその一端を固定され、その他端を排版装置５の筐体の側板９７に固定された付勢補助手段としての引張りばね９６と、ロック板９２の位置を検知する検知手段としてのマイクロスイッチ１２０とを有している。
【００５４】
ロック板９２の、軸９３による支持位置と、ガイド穴９２ａとの間には、ロックピン９１を挿通可能な孔９２ｂが形成されている。ロックピン９１が、排版収納部２１２をＡ方向に移動させて孔版印刷装置に装着した状態でのみ、孔９２ｂに挿通されるよう、ロック機構９０を構成する上述の部材のうち、ロックピン９１を除く部材は、孔版印刷装置に対する排版収納部２１２の装着位置よりも、Ａ方向における奥側の、印刷装置本体１００内に配設されている。ロックピン９１は、排版収納部２１２の右側面に配設されている。
【００５５】
ロックピン９１には、ロックピン９１が孔９２ｂに挿通された状態において、Ａ方向において孔９２ｂと同じ位置を占める溝９１ａが形成されている。電磁ソレノイド９５への通電に関する制御（オン／オフ制御）は、制御手段２４によって行われる。電磁ソレノイド９５は、通電によりその本体に対して引き込まれるように移動するプランジャー９５ａを有しており、プランジャー９５ａがロック板９２と一体化されている。
【００５６】
本形態では、電磁ソレノイド９５に通電を行うと、図５に示すように、プランジャー９５ａが、引張りばね９６の付勢力に反して電磁ソレノイド９５の本体内に引き込まれるように移動することでロック板９２を揺動させ、ロックピン９１が孔９２ｂに挿脱可能な状態となり、排版収納部２１２を孔版印刷装置の本体外に取り出すことを許容する解除状態となる。一方、ロックピン９１が孔９２ｂに挿通した状態で電磁ソレノイド９５への通電が絶たれると、プランジャー９５ａが引張りばね９６の付勢力によって電磁ソレノイド９５の本体外に引き出されるように移動することでロック板９２を揺動させ、孔９２ｂが溝９１ａにオーバーラップして係合し、図５の吹き出し部分に示すように、排版収納部２１２を印刷装置本体外に取り出すことを禁止する禁止状態としてのロック状態となる。すなわち、排版収納部２１２は、通常はロック手段９０によりロック状態にあり、マスタ満杯時などの特別な時に、ロック手段９０によるロック状態が制御手段２４によって解除されるように構成されている。
【００５７】
マイクロスイッチ１２０は、ロック板９２に係合することで、ロック板９２が、ロック状態を与える禁止位置としてのロック位置を占めているか、解除状態を与える解除位置としてのアンロック位置を占めているかを検知し、これを制御手段２４に出力するようになっている。制御手段２４はマイクロスイッチ１２０からの信号に基づいて、ロック板９２が、ロック位置、アンロック位置の何れを占めているかを検出するとともに、電磁ソレノイド９５への通電を制御する。マイクロスイッチ１２０には、プッシュスイッチを用いても良い。
【００５８】
ロック機構９０に対しこのようなロック状態と解除状態とを選択的に与える制御は、制御手段２４が電磁ソレノイド９５に対する通電を制御することによって行われているため、制御手段２４はこのような制御を行うロック設定手段としての役割を担っている。電磁ソレノイド９５の駆動は、制御手段２４によって制御される、図７に示すロック手段駆動回路１１５によって制御される。
【００５９】
ロック設定手段としての制御手段２４とロック機構９０とは、排版収納部２１２内の使用済みの機密マスタ３４Ｂの取り出しを禁止可能とし、かかるマスタ３４Ａに記録されている情報を漏洩から保護するマスタ保護手段を構成している。なお、ロック状態を、圧縮板５６Ｂを排版収納部２１２内に位置させることにより与えることができ、このような構成にした場合には、圧縮板５６Ｂがロック手段を構成することとなる。
【００６０】
図６に示す操作パネル６９は、孔版印刷装置の上部前面に配設されている。操作パネル６９は、製版を開始させるための製版スタートキー７０と、印刷を開始させるための印刷スタートキー７１と、種々の入力状態をクリアしたり印刷を中止させたりするためのクリア／ストップキー７３と、印刷枚数等の数値情報を入力するためのテンキー７４と、種々の入力状態等を確定等するためのエンターキー７５と、各モードをクリア等するためのモードクリアキーとしてのクリアキー７６とを有している。
【００６１】
操作パネル６９は、後述する表示装置８２による表示状態を移動させる等するためのカーソルキー７７と、各種状態を設定する等するためのファンクションキー群としてのファンクションキー７８と、液晶パネルによって構成され各種情報等の表示を行う表示手段としての表示部であるとともに、タッチパネルとなっており種々の入力を行うことが可能な入力手段としての機能を有する表示装置８２とを有している。操作パネル６９からの動作指令等に関する種々の信号は制御手段２４に向けて出力される。
【００６２】
図７に示すように、制御手段２４は、印刷装置本体１００の内部に配設されている。制御装置２４は、孔版印刷装置に備えられている各種センサ、操作パネル６９等からの信号を受け、これに応じて操作パネル６９への表示や各駆動源等の各動作を行わせるなど、孔版印刷装置の動作全般を制御するものである。制御手段２４は、演算を行うＣＰＵ８５と、各種データを記録する記憶手段としてのＲＡＭ８６と、制御プログラム等が格納された記憶手段としてのＲＯＭ８７とを有している。ＣＰＵ８５と、ＲＡＭ８６と、ＲＯＭ８７とは、図示しない信号バスによって接続され、これにより周知のコンピュータを備えた制御手段２４が構成されている。
【００６３】
ＣＰＵ８５には、図示しないインターフェースを介して、各種センサ、各種駆動回路等と電気的に接続されている。具体的には、パルス検出センサ２３、ホームポジションセンサ２６、機密保持モード位置センサ２７などのセンサ群がＣＰＵ８５の入力側に、操作パネル６９、印刷部駆動回路１０１、製版部駆動回路１０３、カッタ駆動回路１０４、マスタ搬送部駆動回路１０５、読取り部駆動回路１０６、給紙部駆動回路１０７、排紙部駆動回路１１２、排版駆動回路１１４、ロック手段駆動回路１１５などの駆動回路が出力側に１１９がＣＰＵ８５の出力側にそれぞれ接続されている。
【００６４】
ＣＰＵ８５には、パルス検出センサ２３、ホームポジションセンサ２６、機密保持モード位置センサ２７からそれぞれの出力信号と、操作パネル６９からの出力信号とが入力される。
【００６５】
入力された各信号は、ＲＯＭ８７に記憶された動作プログラムに基づいて演算処理され、操作パネル６９、印刷部駆動回路１０１、製版部駆動回路１０３、カッタ駆動回路１０４、マスタ搬送部駆動回路１０５、読取り部駆動回路１０６、給紙部駆動回路１０７、排紙部駆動回路１１２、排版駆動回路１１４及びロック手段駆動回路１１５とにそれぞれ動作信号として出力される。ＲＡＭ８６には、ＣＰＵ８５によってＲＯＭ８７より呼び出された動作プログラムが一時的に書き込まれる。書き込まれた動作プログラムは、操作パネル６９からの入力によって書き換えられる。
【００６６】
制御手段２４にはカウンタが備えられており、孔版印刷装置が所定時間不使用の状態にあると、本体電力の消費を抑えるため、電力低減待機モードに移行するようになっている。カウンタは、上述したジャム検知、満杯検知等において所定時間を計測することにも用いられる。
【００６７】
操作パネル６９に備えられた表示装置８２からは、種々の入力がなされる。具体的には、例えば、表示装置８２により、ロック機構９０を、ロック状態とし得る機密保持モードと、解除状態とする非機密保持モードとの何れかに設定するかの、モード選択に関する入力を行うことができる。機密保持モードと非機密保持モードとに設定可能としたのは、孔版印刷装置の使用状況が多岐にわたるためである。この入力を行う表示装置８２は、制御手段２４に対し、かかる機密保持モードと非機密保持モードとの何れかを与えることを可能とするモード入力手段としての役割を有している。
【００６８】
何れのモードを選択するかは、通常、孔版印刷装置の設置者等、孔版印刷装置の管理者の権限によって行われる。したがって、機密保持モードと非機密保持モードとの間の切り替えは、かかる管理者によって行われるものであり、他者による切り替えを防止すべく、モード設定時には、例えば図９に示すように、表示装置８２やテンキー７４等を用いた暗証番号の入力が要求される。
【００６９】
暗証番号の入力を要求するプログラムはＲＯＭ８７に格納されており、モード切り替え、設定用の暗証番号はＲＡＭ８６に格納されている。モード切り替え、設定用の暗証番号はかかる管理者によって書き換え可能である。なお、出荷時において、例えば機密保持モードに設定しておくこともでき、またこのときの暗証番号は付属のマニュアル等に記載された所定の番号とすることができる。さらに、かかるモードの選択は、孔版印刷装置にパソコン等の外部入力装置を接続することができる場合には、その外部入力装置によって行うことができるようにすることも可能である。
【００７０】
ＲＡＭ８６には、表示装置８２により機密保持モードが選択されたときにのみ、機密保持モードプログラムが書き込まれる。ＲＡＭ８６には図示しないバックアップメモリーが設けられており、書き込まれた機密保持モードプログラムは、孔版印刷装置のメイン電源が切られても消去されないように構成されている。
【００７１】
制御手段２４は、機密保持モード、非機密保持モードの選択に応じて、表示装置８２に、機密保持モードとなっているか、非機密保持モードとなっているかの表示を行わせることが可能となっている。例えば、図６と図９とにおいては、表示装置８２に、機密保持モードとなっていることが表示されている。
【００７２】
機密保持モードとなっているか、非機密保持モードとなっているかの表示は、操作者が操作パネル６９においてその旨の表示を行わせる操作をしたときにのみ表示するようにしても良い。この表示を行う表示装置８２は、機密保持モードであるか、非機密保持モードであるかを表示可能なモード表示出力手段としての役割を有している。制御手段２４は、機密保持モードが設定されている場合には、マスタ剥がし機構２１０が、機密マスタ３４Ｂを排版収納部２１２に案内する第２の位置へ移動させるように電磁ソレノイド２１７に通電して、非機密保持モードが設定されている場合には、非機密マスタ３４Ａを排版収納部２１１に案内すべく電磁ソレノイド２１７に通電する。
【００７３】
このような構成による孔版印刷装置の排版制御の一形態を図９に示すフローチャートに沿って説明する。  
操作者により、原稿読み取り装置３２に原稿がセットされて操作パネル６９上の各種キーによって製版条件が設定された後に、ステップＳ１において製版スタートキー７０が押されると、メインモータ１２が図１において反時計回り方向に回転を開始すると共に、ステップＳ２に進んで機密保持モードが設定されているか否かが判断される。本形態において、一旦設定された機密保持モードは記憶されているので、解除操作がない限り設定状態が保持されている。すなわち、ここでは前回の製版／印刷が機密保持モードで実行されたか否かを判断する。そして、機密保持モードが設定されている場合には、機密保持モードで製版されて印刷に使用された機密マスタ３４Ｂが版胴７の外周面に巻装されているものとしてステップＳ３に進む。
【００７４】
ステップＳ３では、本体内部へ引き込む方向に電磁ソレノイド２１７に通電して、マスタ剥がし機構２１０を第２の位置へと移動させ、ステップＳ４へと進んで機密マスタ３４Ｂに対する排版処理が実行される。ここでは、メインモータ１２の駆動により版胴７が、その外周面上に巻装されている使用済みのマスタ３４（機密マスタ３４Ｂ）の後端がマスタ剥がし機構２１０と対応する所定の排版位置に到達したとき、マスタ剥がし機構２１０が版胴７側に移動し、版胴７の外周面上の機密マスタ３４Ｂと当接し機密マスタ３４Ｂをすくい上げる。機密マスタ３４Ｂは、下部排版部材５４と上部排版部材５３とで挟持され、版胴７の外周面より剥離され、ゴムベルト５９，６２で搬送されて排版収納部２１２へと回収されて廃棄される。
【００７５】
このとき、印刷装置本体１００に対して着脱自在な排版収納部２１２は、ロック手段９０により取り外しできないロック状態とされているので、機密マスタ３４Ｂの取り出しを禁止することができ、機密漏洩を防止することができる。
【００７６】
一方、ステップＳ２において、機密保持モードが設定されていなければ、前回の製版／印刷が非機密保持モードであり、非機密保持モードで製版されて印刷に使用された非機密マスタ３４Ａが版胴７の外周面に巻装されているものとしてステップＳ５に進む。ステップＳ５では、本体内部からプランジャー９５ａを押し出す方向に電磁ソレノイド２１７に通電して、マスタ剥がし機構２１０を第１の位置へと移動させてステップＳ６へと進み、非機密マスタ３４Ａに対する排版処理が実行される。ここでは、メインモータ１２の駆動により版胴７が、その外周面上に巻装されている使用済みのマスタ３４（非機密マスタ３４Ａ）の後端がマスタ剥がし機構２１０と対応する所定の排版位置に到達したとき、マスタ剥がし機構２１０が版胴７側に移動し、版胴７の外周面上の非機密マスタ３４Ａと当接し非機密マスタ３４Ａをすくい上げる。非機密マスタ３４Ａは、下部排版部材５４と上部排版部材５３とで挟持され、版胴７の外周面より剥離され、ゴムベルト５９，６２で搬送されて排版収納部２１１へと回収されて廃棄される。
【００７７】
図１０、図１１は、第１のマスタ貯容手段としての排版収納部３１２、３１３を備えるとともに、マスタ回収手段としてのマスタ剥がし機構２１０を各排版収納部に対して選択的に移動可能としたものである。排版収納部３１２、３１３は図示を省略したがロック手段９０をそれぞれ備えている。圧縮板５６Ａが設けられた移動部材５６Ｃには、排版収納部３１２、３１３に回収されて収納されている使用済みのマスタ３４（機密マスタ３４Ｂ）を圧縮する、圧縮板５６Ｃ、５６Ｄが設けられている。
【００７８】
本形態において、マスタ剥がし機構２１０は、非機密保持モードで製版／印刷された非機密マスタ３４Ａを排版収納部２１１に案内する図１０に実線で示す第１の位置と、機密保持モードで製版／印刷された機密マスタ３４Ｂをその種類によって排版収納部３１２または３１３へと案内する図１１に実線で示す第２の位置及び図１１に仮想線で示す第３の位置へと選択的に移動させる揺動手段３２０を備えている。
【００７９】
揺動機構は、図１２に示すように、ベースプレート２１３に一体的に設けられた歯車部材としての扇形歯車３２１と、扇形歯車３２１の歯部に噛合するピニオン歯車３２２と、ピニオン歯車３２２を回動駆動する駆動源としてのステッピングモータ３２３とで主に構成されている。ステッピングモータ３２３は、電磁ソレノイド２１７に換えて制御手段２４の排版駆動回路１１４に接続されていて、その回転方向と回転ステップ数が制御されるようになっている。
【００８０】
排版収納部３１２、３１３とマスタ剥がし機構２１０との間には、マスタ剥がし機構２１０によって版胴７の外周面より剥離して回収されたマスタ３４を排版収納部３１２、３１３へとそれぞれ案内する案内通路３０１，３０２が形成されている。案内通路３０１は、マスタ剥がし機構２１０が第２の位置を占めた時に、図１２（ｂ）に示すようにマスタ剥がし機構２１によって回収されたマスタ３４を受け入れる位置に配設されている。案内通路３０２は、マスタ剥がし機構２１０が第３の位置を占めた時に、図１２（ｃ）に示すようにマスタ剥がし機構２１０によって回収されたマスタ３４を受け入れる位置に配設されている。
【００８１】
本形態において、制御手段２４は、機器操作者を識別するための個人情報としのＩＤ番号を入力することができるように構成されている。すなわち、ＩＤ番号と当該ＩＤ番号に対応させる排版収納部３１２または３１３との登録を要求するプログラムと、ＩＤ番号の入力を要求するプラグラムがＲＯＭ８７に格納されている。本形態において、登録されているＩＤ番号が入力されると機密保持モードが設定され、図１２（ｂ）に示すようにようにＩＤ番号に対応する排版収納部へと対応する第２の位置または図１２（ｃ）に示す第３の位置へとマスタ剥がし機構２１０を移動させるようにステッピングモータ３２３の駆動が制御される。本形態において、排版収納部３１２、３１３が印刷装置本体１００に装着されていないとＩＤ番号と対応させることができないので、図１０，図１１に示すように、排版収納部３１２，３１３の装着状態の有無を検知する装着検知センサ３１４，３１５が設けられている。これら装着検知センサ３１４，３１５は、排版収納部３１２，３１３が装着状態にある時にオンして、その出力を制御手段２４に入力するようになっている。また、本形態において、排版収納部３１２に対応するＩＤ番号を第１のＩＤ番号、排版収納部３１３に対応するＩＤ番号を第２のＩＤ番号とする。入力されたＩＤ番号は、ＲＡＭ８６の図示しないバックアップメモリーに記憶される。
【００８２】
このような構成による孔版印刷装置の排版制御の一形態を図１３に示すフローチャートに沿って説明する。  
操作者により、原稿読み取り装置３２に原稿がセットされて操作パネル６９上の各種キーによって製版条件が設定された後に、ステップＴ１において製版スタートキー７０が押されると、メインモータ１２が図１において反時計回り方向に回転を開始すると共に、ステップＴ２に進んでＩＤ番号の設定の有無が判断される。ここで行うＩＤ番号の判断は、バックアップメモリーにＩＤ番号が記憶されているか否かを判断している。すなわち、前回の製版／印刷がＩＤ番号を入力して行われたものであるか否かを判断する。そして、ＩＤ番号が設定されている場合には、機密保持モードであるものとして、ステップＴ３に進んで、ＩＤ番号の種別が判別される。ここで、ＩＤ番号が第１のＩＤ番号で有る場合にはステップＴ４に進み、第１のＩＤ番号でなければ第２のＩＤ番号が設定されているものとしてステップＴ６に進む。
【００８３】
ステップＴ４では、ステッピングモータ３２３を駆動してマスタ剥がし機構２１０を第２の位置へと移動させ、ステップＴ５へと進んで機密マスタ３４Ｂに対する排版処理が実行される。
【００８４】
ステップＴ６では、ステッピングモータ３２３を駆動してマスタ剥がし機構２１０を第３の位置へと移動させ、ステップＴ５へと進んで機密マスタ３４Ｂに対する排版処理が実行される。
【００８５】
ステップＴ５では、メインモータ１２の駆動により版胴７が、その外周面上に巻装されている使用済みのマスタ３４（機密マスタ３４Ｂ）の後端がマスタ剥がし機構２１０と対応する所定の排版位置に到達したとき、マスタ剥がし機構２１０が版胴７側に移動し、版胴７の外周面上の機密マスタ３４Ｂと当接し機密マスタ３４Ｂをすくい上げる。機密マスタ３４Ｂは、下部排版部材５４と上部排版部材５３とで挟持され、版胴７の外周面より剥離され、ゴムベルト５９，６２で搬送されて排版収納部３１２または排版収納部へと回収されて廃棄される。
【００８６】
本形態においても、印刷装置本体１００に対して着脱自在な排版収納部３１２，３１３はロック手段９０により取り外しできないロック状態とされているので、機密マスタ３４Ｂの取り出しを禁止することができ、機密漏洩を防止することができる。また、マスタ剥がし機構２１０によって版胴７の外周面より剥離された機密マスタ３４Ｂは、設定されたＩＤ番号に対応する排版収納部３１２または排版収納部へと回収されるので、装置操作者の機密保持に対する意識を高めることができる。
【００８７】
一方、ステップＴ２において、ＩＤ番号の設定がなければ、前回の製版／印刷がＩＤ番号の入力されない非機密保持モードであり、非機密保持モードで製版されて印刷に使用された非機密マスタ３４Ａが版胴７の外周面に巻装されているものとしてステップＴ７に進む。ステップＴ７では、本体内部からプランジャー９５ａを押し出す方向に電磁ソレノイド２１７に通電して、マスタ剥がし機構２１０を第１の位置へと移動させてステップＴ８へと進み、非機密マスタ３４Ａに対する排版処理が実行される。ここでは、メインモータ１２の駆動により版胴７が、その外周面上に巻装されている使用済みのマスタ３４（非機密マスタ３４Ａ）の後端がマスタ剥がし機構２１０と対応する所定の排版位置に到達したとき、マスタ剥がし機構２１０が版胴７側に移動し、版胴７の外周面上の非機密マスタ３４Ａと当接し非機密マスタ３４Ａをすくい上げる。非機密マスタ３４Ａは、下部排版部材５４と上部排版部材５３とで挟持され、版胴７の外周面より剥離され、ゴムベルト５９，６２で搬送されて排版収納部２１１へと回収されて廃棄される。
【００８８】
図１４、図１５は、本発明の別な形態を示すもので、版胴７を印刷装置本体１００において所定の状態でロックするドラムロック手段３５０と、版胴７のロック状態を検知するドラムロック検知手段とを有している。本形態において、ドラムロック検知手段には、機密モード位置センサ２７が用いられる。
【００８９】
図１４において、版胴７の外方近傍には、取手８８が設けられている。取手８８は、版胴７の各側板７ａ，７ｂの外方に設けられ、インキ供給パイプ１３を回転自在に支持する側板８８ｂ，８８ｃと、各側板８８ｂ，８８ｃを連絡する本体８８ａとから構成され、略コ字状を呈している。本体８８ａは、その側板８８ｂ側の端部にコロ８８ｄを、また、コロ８８ｄの近傍に係合孔８８ｅを有しており、コロ８８ｄを、印刷装置本体１００の側板１００ａに取り付けられたレール部材８９に係合させることで、印刷装置本体に対して着脱自在となっている。係合孔８８ｅには後述するドラムロック手段３５０の一部を構成する係合ピン３９５が係合するようになっている。
【００９０】
ドラムロック手段３５０は、図１５に示すように、駆動源としての電磁ソレノイド３９３、アーム３９４、係合ピン３９５等から主に構成されている。電磁ソレノイド３９３は印刷装置本体側に固定されており、その動作は制御手段２４によって制御される。略Ｌ字状を呈しているアーム３９４は、その曲折部をピン３９６で揺動自在に支持されており、一方の端部３９４ａには溝部を、他方の端部３９４ｂには孔を形成され、曲折部と端部３９４ｂとの中間部位には長孔を形成されている。アーム３９４は、端部３９４ａの溝部をピン３９７で電磁ソレノイド３９３のプランジャー３９３ａに揺動自在に取り付けられており、端部３９４ｂの孔には引張コイルバネ３９８の一端が取り付けられている。電磁ソレノイド３９３は、通電時に、プランジャー３９３ａをその本体から突出させる方向に移動させる。引張コイルバネ３９８は、その他端を印刷装置本体１００側に固着されており、アーム３９４を電磁ソレノイド３９３の非作動状態においては、その付勢力によって上方に付勢され、係合ピン９５と係合孔８８ｅとが契合しないようになっている。また、曲折部と端部３９４ｂとの中間部位に形成された長孔には、係合ピン３９５の一端が、ピン３９９によって取り付けられている。係合ピン３９５の他端は、レール部材８９の上面に配設されたガイド部材４００によってガイドされており、係合ピン３９５の他端はレール部材８９の上面に穿設された孔を通り、レール部材８９の内部に進退自在となっている。この係合ピン９５は、版胴７が、その取手８８をレール部材８９の所定位置までセットすることで孔版印刷装置に装着され、かつ、版胴７が機密モード位置センサ２７でドク２５を検出する位置を占めたときに、本体８８ａに設けられた係合孔８８ｅに対して係合可能な位置に設けられている。
【００９１】
本形態において、制御手段２４では、機密保持モードが設定されると、メインモータ１２を回転させて機密モード位置センサ２７でドク２５を検出する位置まで版胴７を回転させるようになっている。また、制御手段２４は、機密モード位置センサ２７がドク２５を検知（オン）すると、電磁ソレノイド３９３に通電して版胴７をロック状態とするように構成されている。
【００９２】
このような構成による孔版印刷装置の排版制御の一形態を図１６に示すフローチャートに沿って説明する。本形態にかかる排版装置６としては、図１に示す排版収納部２１１，２１２の構成とする。
【００９３】
操作者により、原稿読み取り装置３２に原稿がセットされて操作パネル６９上の各種キーによって製版条件が設定された後に、ステップＵ１において製版スタートキー７０が押されると、ステップＵ２において、機密モード位置センサ２７がオン状態であるか否か判断する。機密モード位置センサ２７がオンの場合には、電磁ソレノイド３９３がオンで、版胴７がロックされているものとして、メインモータ１２が図１において反時計回り方向に回転を開始する。すなわち、ここでは前回の製版／印刷が機密保持モードで実行されたか否かを版胴７の位置で判断する。
【００９４】
機密モード位置センサ２７がオンしている場合には、版胴７がロックされていて機密保持モードで製版されて印刷に使用された機密マスタ３４Ｂが版胴７の外周面に巻装されているものとしてステップＵ３に進む。  
ステップＵ３では、図４に示すように、本体内部へ引き込む方向に電磁ソレノイド２１７に通電して、マスタ剥がし機構２１０を第２の位置へと移動させ、ステップＵ４へと進んで機密マスタ３４Ｂに対する排版処理が実行される。この排版処理では、メインモータ１２の駆動により版胴７が、その外周面上に巻装されている使用済みのマスタ３４（機密マスタ３４Ｂ）の後端がマスタ剥がし機構２１０と対応する所定の排版位置に到達したとき、マスタ剥がし機構２１０が版胴７側に移動し、版胴７の外周面上の機密マスタ３４Ｂと当接し機密マスタ３４Ｂをすくい上げる。機密マスタ３４Ｂは、下部排版部材５４と上部排版部材５３とで挟持され、版胴７の外周面より剥離され、ゴムベルト５９，６２で搬送されて排版収納部２１２へと回収されて廃棄される。このとき、印刷装置本体１００に対して着脱自在な排版収納部２１２は、ロック手段９０により取り外しできないロック状態とされているので、機密マスタ３４Ｂの取り出しを禁止することができ、機密漏洩を防止することができる。また、機密マスタ３４Ｂが巻装されている版胴７は、ドラムロック手段３５０によってロック状態とされるので、排版前の状態においても機密マスタ３４Ｂの取り出しを禁止することができ、より機密漏洩を防止することができる。
【００９５】
一方、ステップＵ２において、機密保持モードが設定されていなければ、前回の製版／印刷が非機密保持モードであり、非機密保持モードで製版されて印刷に使用された非機密マスタ３４Ａが版胴７の外周面に巻装されているものとしてステップＵ５に進む。ステップＵ５では、本体内部からプランジャー９５ａを押し出す方向に電磁ソレノイド２１７に通電して、マスタ剥がし機構２１０を第１の位置へと移動させてステップＵ６へと進み、非機密マスタ３４Ａに対する排版処理が実行される。ここでは、メインモータ１２の駆動により版胴７が、その外周面上に巻装されている使用済みのマスタ３４（非機密マスタ３４Ａ）の後端がマスタ剥がし機構２１０と対応する所定の排版位置に到達したとき、マスタ剥がし機構２１０が版胴７側に移動し、版胴７の外周面上の非機密マスタ３４Ａと当接し非機密マスタ３４Ａをすくい上げる。非機密マスタ３４Ａは、下部排版部材５４と上部排版部材５３とで挟持され、版胴７の外周面より剥離され、ゴムベルト５９，６２で搬送されて排版収納部２１１へと回収されて廃棄される。
【図面の簡単な説明】
【００９６】
【図１】本発明を適用した印刷装置の概略を示す正面図である。
【図２】印刷ドラムの駆動系の構成を示す斜視図である。
【図３】マスタ回収手段の構成と排版装置の一形態を示す拡大である。
【図４】図３に示したマスタ回収手段の第２の位置を示す拡大図である。
【図５】マスタ貯容手段をロックするロック手段の一形態を示す斜視図である。
【図６】図１に示した印刷装置に備えられた操作パネルの一形態を示す平面図である。
【図７】図１に示した印刷装置に備えられた制御手段の一形態を示すブロック図である。
【図８】図６に示した操作パネルの動作を説明するための平面図である。
【図９】図１に示したマスタ回収手段の動作に関するフローチャートである。
【図１０】複数の第１のマスタ貯容手段を有する製版装置とマスタ回収手段の構成を示す拡大図である。
【図１１】図１０に示したマスタ回収手段の動作を示す拡大図である。
【図１２】（ａ）は図１０にマスタ回収手段の第１の位置と揺動手段の構成を示す図、（ｂ）は図１０にマスタ回収手段の第２の位置、（ｃ）は図１０にマスタ回収手段の第３の位置を示す図である。
【図１３】図１０に示すマスタ回収手段の動作制御に関するフローチャートである。
【図１４】印刷ドラム周辺の概略構成を示す斜視図である。
【図１５】印刷ドラムロック手段の一構成例を示す拡大図である。
【図１６】印刷ドラムロック手段の状態に応じたマスタ回収手段の動作に関するフローチャートである。
【符号の説明】
【００９７】
１    印刷装置、印刷装置の使用済みマスタ保護システム
３４Ａ  非機密マスタ（使用済みのマスタ）
３４Ｂ    機密マスタ（使用済みのマスタ）
２４    ロック設定手段（制御手段）
２４、９０    マスタ保護手段
２７    ドラムロック検知手段
８２    モード入力手段
９０    ロック手段
２１０  マスタ回収手段
３５０    ドラムロック手段
【図１】
2005342896.tif 000003
【図２】
2005342896.tif 000004
【図３】
2005342896.tif 000005
【図４】
2005342896.tif 000006
【図５】
2005342896.tif 000007
【図６】
2005342896.tif 000008
【図７】
2005342896.tif 000009
【図８】
2005342896.tif 000010
【図９】
2005342896.tif 000011
【図１０】
2005342896.tif 000012
【図１１】
2005342896.tif 000013
【図１２】
2005342896.tif 000014
【図１３】
2005342896.tif 000015
【図１４】
2005342896.tif 000016
【図１５】
2005342896.tif 000017
【図１６】
2005342896.tif 000018